(57)【特許請求の範囲】
【請求項１】
長螺子を固定したＬ字板に穿設した長孔に下フレームに固定したスタットボルトを挿通、固定して、下フレームに固定したスタットボルトに長螺子を調整自在に固定し、少なくとも折立片を設けた側面板固定用ブラケットの板に前記Ｌ字板に穿設した長孔と交叉する方向に穿設した長孔に該長螺子を挿通、固定して、該長螺子に、側面板固定用ブラケットを調整自在に固定する一方、側面板固定用ブラケットの折立片には２つの通孔を並列して形成し、該折立片には隣接する両側面板の隣接端を当てて、夫々前記通孔を介したボルトにて、各側面板を側面板固定用ブラケットに係止固定させることを特徴とするエスカレーターの外装体。
【請求項２】
側面板外端には補強板を設け、隣接する両側面板の固定時、両補強板と両側面板外端が重ね合うように構成したことを特徴とする請求項１に記載のエスカレーターの外装体。
【請求項３】
一側に折立片を有する側面板固定用ブラケットの他側に設けた折立片には長螺子を螺通し下フレーム間に設けた支承板に固定したフレームに調整自在に螺通したブラケット支持機構を有する請求項１又は請求項２に記載のエスカレーターの外装体。
【発明の詳細な説明】
【０００１】
【発明の属する技術分野】
本発明は、エスカレーター等の外装体に関し、その外装たる側面板を従来の溶接加工を用いずにエスカレーターのトラスに極めて容易に取付けうる機構及び底面板を同様に容易に取付け可能にするものである。
【０００２】
【従来の技術】
従来のエスカレーターにおいて、ステップ及びライザーが軌道上を循環して人を運ぶ構成にして、その軌道部、駆動部等を函型に形成するトラスに収納し、その外装を鉄板、ステンレス板その他の板体にて装飾的に被覆している。然して、その外装板の取付けに際して、トラスに板体を直接又は間接に溶接していたものである。
【０００３】
この溶接作業を避けて他の固定方法を提案したものに特開平１０−２３６７５５がある。これは、側方板をその上方部には位置決めとトラスを形成する上部ビームに機械的固定が可能な上部取付手段を持ち、下部にはトラスを形成する下部ビームに対する位置決めと機械的固定が可能な下部取付手段を有する側面外装体を備えたエスカレーター外装体が提案されている。
【０００４】
又、特許第２９０９８９６号は、側面板体の上部は、上部ビームの上方に配置される外装部材に係止され、下部ビームには上下及び横方向の位置決めが可能な側面板連結支持手段を以って側面板下部を下部ビームに取付ける如くしたエスカレーター用外装体が提案されている。
【０００５】
【発明が解決しようとする課題】
上記においては、共に一枚の側面板を上部は上部ビームに、下部は下部ビームに夫々取付けるものであるが、前者においては、側面板上部は機械的固定が可能な上部取付手段を用いるのに対し、後者は、上部ビーム上方に配置される外装部材に係止されるものである。又、下部は共に位置決めと機械的固定が可能な取付手段を設けて下部ビームに取付けるものである。
【０００６】
このため、該公知例においては、一枚の側面板の固定は確実に行われるが、これが何枚も続くときでも同様に固定して行く構成であり、少なくとも上下２箇所計４箇所を夫々別個に固定しなければならない。従って、相隣る側面板の高低、左右の隙間、接合具合等夫々を見極め、調整しながら夫々固定して行く必要がある。この作業は側面板を面一に固定して行く際の極めて面倒な作業となり、調整に手間取るものである。又、側面板下部両端を連結手段を介して下部ビームに固定的に設ける際に、Ｌ字状アングルとＣチャンネルに挿通自在としたボルトにより固定するものであり、外側よりの圧力に対抗力が弱い点がある。
【０００７】
【課題を解決するための手段】
そこで本発明においては、相隣る側面板の連結固定が極めて容易に確実に行われ、作業が円滑で迅速に行われると共に、強度が大なる側面板固定が可能にするものであって、下フレームに植立したスタットボルトに長螺子を調整自在に固定し、該長螺子に、少なくとも折立片を設けた側面板固定用ブラケットを調整自在に設ける一方、側面板固定用ブラケットの折立片には両側面板の隣接端を当てて、各側面板を係止固定させることを特徴とする。
【０００８】
【発明の実施の形態】
以下、本発明の実施の形態を詳細に説明する。
１はエスカレータートラスで上フレーム１１と下フレーム１２を有して構成され、エスカレーターの両側骨格を形成してある。下フレーム１２下部にはスタットボルト２を打込み固定し、該スタットボルト２には取付ブラケット３を取付けてある。取付ブラケット３はＬ字板３１と、その位置側に固定した長螺子３２により構成され、Ｌ字板３１に穿設した長孔３３をスタットボルト２に挿通しナット２１にて固定してある。
【０００９】
取付ブラケット３の長螺子３２には、側面板固定用ブラケット４が位置調整自在に取付けられる。該側面板固定用ブラケット４は両側に折立片４１，４２を折り立てた板４３よりなり、該板４３には長孔４４を前記Ｌ字板３１の長孔３３と交叉する方向に穿設し折立片４１には２つの通孔４５，４６を並列して形成し、折立片４２には透孔４７を穿設してある。Ｌ字板３１の長孔３３と板４３の長孔４４は、その方向が交叉する方向であればどちらが縦、横の方向でもよい。
【００１０】
５は支承板で、エスカレータートラス１，１の両下フレーム１２，１２間に固定してあり、該支承板５には、スタットボルト５１を打込み固定しスタットボルト５１によりフレーム固定用ブラケット５２を固定し、該フレーム固定用ブラケット５２には、エスカレータートラス１と平行方向にフレーム６を固定してある。該フレーム６には、長螺子６１が挿通固定してあり、該長螺子６１は前記側面板固定用ブラケット４の折立片４２の透孔４７に挿通し長さ調節自在に固定可能とし、ブラケット支持機構を構成してある。
【００１１】
７は側面板で、その外側には函状の補強板７１を設けてある。該補強板７１は互いの折立片７２が重なり、且つその先端が函状部に当たるように形成することは推奨される。又、側面板の外端７３は、折曲して他の側面板７の外端７３と重なり合う如く構成されることは推奨される。７４は補強板７１に設けた固定板で、ブラケット４の折立片４１の通孔４５，４６に対応し、ボルト４８，４９にて折立片４１間を固定自在としてある。
【００１２】
８は底面板で、その両端には側面板７と同様に補強板８１を固定し、その折立片８２，８２が重なり合い、かつ底面板８の外端８３が折曲され、他の底面板８の外端８３と重なり合う如く構成されるのは推奨される。底面板８には略中央に例えば補強板８１に長螺子８７を固定し、支承板５に設けた取付フレーム５３又はその取付バー５４に長螺子８７を長さ調節自在に固定する。又、底面板７の外側端８４は側面板７の下端折曲縁７５上に載置させるのがよい。又、同時にＬ字ブラケット８５にて底面板８と側面板７を螺子８６，８６により固定するのがよい。
【００１３】
９は押出金具で、上フレーム１１への跨座部９１とその上の植立片９２、該植立片９２に螺通した押螺子９３により構成される。１０はアウターデッキで、エスカレーター本体よりエスカレータートラス１上に張出させてある。
【００１４】
【実施例】
次いでその使用態様について説明する。
先ず、予め取付ブラケット３を所望位置にナット２１にてスタットボルト２に仮止し、側面板取付用ブラケット４を長螺子３２に挿通して仮止する。この際、側面板取付用ブラケット４の折立片４１が側面板７の取付位置に近づくように取付ブラケット３と側面体取付用ブラケット４を夫々長孔３３、長孔４４を利用して前後左右に移動させておく。そこで側面板７をエスカレータートラス１外側に持来す。そして、補強板７１又その固定板７４を折立片４１に当て、ボルト４８を通孔４５を介して固定板７４裏面のナットにて締付け、側面板７が適正な位置に来たときに、取付ブラケット３、側面板取付用ブラケット４を夫々固定させ、側面体７を固定させる。
【００１５】
次いで、側面板７の上端は側面板７の固定に際し、アスターデッキ１０内側に持来されており、押出金具９の押螺子９３を螺出させることにより側面板７の補強板７６を介して、側面板７上端はアウターデッキ１０に押付け固定される。斯して、側面板７はその上下が固定支承される。又、側面板取付用ブラケット４の位置固定後、側面板取付用ブラケット４の折立片４２の透孔４７に挿通した長螺子６１と折立片４２をナット６２，６２により位置固定し、側面板取付用ブラケット４を支承板５にも支承させる。
【００１６】
続いて固定した側面板７に隣接位置させ側面板７を持来し、固定した側面板７の補強板７１の折立片７２に固定すべき側面板７の補強板７１の折立片７２を滑らせて重ね、且つ側面板７の外端７３同志を重ね合わせる。これと同時に補強板７１及び固定板７４を側面板取付用ブラケット４の折立片４１に当て、ボルト４９により側面板７を固定させる。この際、必要に応じ、側面板取付用ブラケット４の位置を前記側面板７の取付時に際し、調整したと同様の操作を繰返す。勿論、今回の調整は前に取付けた側面板７程の調整程大きくなく、微調整で済むはずである。又、側面板７の上端は押出金具９により、アウターデッキ１０に押圧固定すること前述の通りである。
【００１７】
このようにして側面板７と側面板７とを１つの側面板取付用ブラケット４にて連接固定して行き、上端と下端は折立片４１の通孔４５，４６の１つを使用し、或いは通孔１つのみの折立片４１を有する側面取付用ブラケット４を使用して側面板７を固定する。又、底面板８はその外側端８４を側面板７の下端折曲縁７５上に載置し、Ｌ字ブラケット６５及び螺子８６，８６により両者を固定する。又、補強板８１に設けた長螺子８７により支承板５に取付けた取付フレーム５３又はその取付カバー５４に固定することにより底面板８の略中央を吊下げ支承する。側面板７に載置、且つ固定させること前記と同様であるが、底面板８と隣接の底面板８とは、その両端の補強板８１，８１を合わせるとき、その折立片８２を重ね合わせ、且つ底面板８の外端８３，８３を重ね合わせて、底面板８，８同志の継目の強化を図っている。斯して、エスカレーターの外側を側面板７、底面板８にて被覆して外装を形成させている。
【００１８】
【発明の効果】
以上述べたように本発明の請求項１によれば、長螺子を固定したＬ字板に穿設した長孔に下フレームに固定したスタットボルトを挿通、固定して、下フレームに固定したスタットボルトに長螺子を調整自在に固定し、少なくとも折立片を設けた側面板固定用ブラケットの板に前記Ｌ字板に穿設した長孔と交叉する方向に穿設した長孔に該長螺子を挿通、固定して、該長螺子に、側面板固定用ブラケットを調整自在に固定する一方、側面板固定用ブラケットの折立片には２つの通孔を並列して形成し、該折立片には隣接する両側面板の隣接端を当てて、夫々前記通孔を介したボルトにて、各側面板を側面板固定用ブラケットに係止固定させるようにしたので、相隣る側面板の取付が１つの側面板取付用ブラケットに当接させて両側面板の高低、左右の隙間、接合具合が極めて容易であり、その微調整等取付と同時に、且つ１箇所にて出来る。このため、側面板の取付作業が極めて迅速、且つ円滑に行われ、効率的な作業が為される。
【００１９】
又、請求項２によれば、側面板外端には補強板を設け、隣接する両側面板の固定時、両補強板と両側面板外端が重ね合うように構成したので、請求項１の有する効果の他に、側面板の隣接する側端が補強板の側面板により互いに重なり合い、確実に係止されると共に、係止部分の強度が大幅に補強され、側面板自体の強度と相俟って両側面板の取付部分の強度も確保され、係止強度も大となる。
【００２０】
更に、請求項３によれば、一側に折立片を有する側面板固定用ブラケットの他側に設けた折立片には長螺子を螺通し下フレーム間に設けた支承板に固定したフレームに調整自在に螺通したブラケット支持機構を有するので、側面板取付用ブラケットの一端を支承板に長螺子、フレームを介して支承させたので、下フレームに設けた長螺子と相俟って、側面固定用ブラケットが強固に支承され側面板の取付が確実、且つ強固に為される効果がある。
【図面の簡単な説明】
【図１】本発明一実施例断面説明図
【図２】同上斜面説明図
【図３】同上一部側面説明図
【符号の説明】
１  エスカレータートラス
２  スタットボルト
３  取付ブラケット
４  側面板取付用ブラケット
５  支承板
６  フレーム
７  側面板
８  底面板
９  押出金具
１０  アウターデッキ
【図１】
0003589626.tif 000002
【図２】
0003589626.tif 000003
【図３】
0003589626.tif 000004